(57)【要約】【課題】各無線回線の状態に応じたパケット振分けを行うことを目的とする。【解決手段】第１の無線インタフェースと第２の無線インタフェースを用いて無線端末装置と接続し、ネットワークインタフェースを用いてネットワークと接続する基地局装置において、ネットワークインタフェースから受信したパケットに、第１の無線インタフェースと前記第２の無線インタフェースで共通の宛先アドレスを含むリンクアグリゲーション用ヘッダを付与するヘッダ付与部と、第１の無線インタフェースと第２の無線インタフェースの無線品質情報を取得する無線品質取得部と、リンクアグリゲーション用ヘッダを付与されたパケットを無線品質情報に基づき前記第１の無線インタフェースと第２の無線インタフェースのいずれかに振分けて前記無線端末装置に送信する振分送信部と、を有する。【選択図】    図３
2014027548.tif 000002
【特許請求の範囲】
【請求項１】
第１の無線インタフェースと第２の無線インタフェースを用いて無線端末装置と接続し、ネットワークインタフェースを用いてネットワークと接続する基地局装置において、
前記ネットワークインタフェースから受信したパケットに、前記第１の無線インタフェースと前記第２の無線インタフェースで共通の宛先アドレスを含むリンクアグリゲーション用ヘッダを付与するヘッダ付与部と、
前記第１の無線インタフェースと前記第２の無線インタフェースの無線品質情報を取得する無線品質取得部と、
前記リンクアグリゲーション用ヘッダを付与されたパケットを前記無線品質情報に基づき前記第１の無線インタフェースと第２の無線インタフェースのいずれかに振分けて前記無線端末装置に送信する振分送信部と、
を有することを特徴とする基地局装置。
【請求項２】
請求項１記載の基地局装置において、
前記無線端末装置から前記第１の無線インタフェースと前記第２の無線インタフェースのいずれかを介して前記リンクアグリゲーション用ヘッダを付与されたパケットを受信する受信部と、
前記リンクアグリゲーション用ヘッダを付与されたパケットから前記リンクアグリゲーション用ヘッダを取り除いたパケットに含まれる宛先アドレスに従って前記リンクアグリゲーション用ヘッダを取り除いたパケットを前記ネットワークインタフェースに送信する受信パケット処理部と、
を有することを特徴とする基地局装置。
【請求項３】
請求項２記載の基地局装置において、
前記ヘッダ付与部で付与する前記リンクアグリゲーション用ヘッダは、パケットの順序を表すシーケンス番号を含むことを特徴とする基地局装置。
【請求項４】
請求項３記載の基地局装置において、
前記受信パケット処理部は、前記第１の無線インタフェースと前記第２の無線インタフェースを介して受信したパケットを前記リンクアグリゲーション用ヘッダに含まれる前記シーケンス番号の順序に並べ替えて前記ネットワークインタフェースに送信することを特徴とする基地局装置。
【請求項５】
第１の無線インタフェースと第２の無線インタフェースを用いて無線端末装置と接続し、第１のネットワークインタフェースと第２のネットワークインタフェースを用いてネットワークと接続し、前記第１のネットワークインタフェースと前記第２のネットワークインタフェースで異なる宛先アドレスを含むカプセル化ヘッダが付与された前記無線端末装置宛てのパケットを受信する基地局装置において、
前記第１の無線インタフェースと前記第２の無線インタフェースの無線品質情報を取得する無線品質取得部と、
受信したパケットを前記無線品質情報に基づき前記第１の無線インタフェースと前記第２の無線インタフェースのいずれを用いて前記無線端末装置に送信するか振分判断し、前記振分判断の結果に従って、前記第１のネットワークインタフェースと前記第２のネットワークインタフェースから受信したパケットに付与されている前記カプセル化ヘッダの宛先アドレスを変換するヘッダ変換部と、
前記カプセル化ヘッダが付与されパケットを前記カプセル化ヘッダに含まれる宛先アドレスに従って前記第１の無線インタフェース又は前記第２の無線インタフェースを介して前記無線端末装置に送信する送信部と、
を有することを特徴とする基地局装置。
【請求項６】
請求項５記載の基地局装置において、
前記無線端末装置から前記第１の無線インタフェースと前記第２の無線インタフェースのいずれかを介して前記カプセル化ヘッダが付与されたパケットを受信する受信部と、
前記カプセル化ヘッダが付与されたパケットを前記カプセル化ヘッダに含まれる宛先アドレスに従って前記第１のネットワークインタフェース又は前記第２のネットワークインタフェースに送信する受信パケット処理部と、
を有することを特徴とする基地局装置。
【請求項７】
請求項６記載の基地局装置において、
前記ヘッダ変換部は、前記第１のネットワークインタフェースから受信した前記カプセル化ヘッダを付加されたパケットと前記第２のネットワークインタフェースから受信した前記カプセル化ヘッダを付加されたパケットとで遅延量が小さい方のパケットを遅延させることを特徴とする基地局装置。
【請求項８】
第１の無線インタフェースと第２の無線インタフェースを用いて基地局装置と接続する無線端末装置において、
送信するパケットに、前記第１の無線インタフェースと前記第２の無線インタフェースで共通の宛先アドレスを含むリンクアグリゲーション用ヘッダを付与するヘッダ付与部と、
前記第１の無線インタフェースと前記第２の無線インタフェースの無線品質情報を取得する無線品質取得部と、
前記リンクアグリゲーション用ヘッダを付与されたパケットを前記無線品質情報に基づき前記第１の無線インタフェースと第２の無線インタフェースのいずれかに振分けて前記基地局装置に送信する振分送信部と、
前記基地局装置から前記第１の無線インタフェースと前記第２の無線インタフェースのいずれかを介して前記リンクアグリゲーション用ヘッダを付与されたパケットを受信する受信部と、
前記リンクアグリゲーション用ヘッダを付与されたパケットから前記リンクアグリゲーション用ヘッダを取り除いたパケットに含まれる宛先アドレスに従って前記リンクアグリゲーション用ヘッダを取り除いたパケットを得る受信パケット処理部と、
を有することを特徴とする無線端末装置。
【請求項９】
第１の無線インタフェースと第２の無線インタフェースを用いて無線端末装置と接続し、ネットワークインタフェースを用いてネットワークと接続する基地局装置のパケット振分け方法において、
前記ネットワークインタフェースから受信したパケットに、前記第１の無線インタフェースと前記第２の無線インタフェースで共通の宛先アドレスを含むリンクアグリゲーション用ヘッダを付与し、
前記第１の無線インタフェースと前記第２の無線インタフェースの無線品質情報を取得し、
前記リンクアグリゲーション用ヘッダを付与されたパケットを前記無線品質情報に基づき前記第１の無線インタフェースと第２の無線インタフェースのいずれかに振分けて前記無線端末装置に送信する、
ことを特徴とするパケット振分け方法。
【請求項１０】
第１の無線インタフェースと第２の無線インタフェースを用いて無線端末装置と接続し、第１のネットワークインタフェースと第２のネットワークインタフェースを用いてネットワークと接続し、前記第１のネットワークインタフェースと前記第２のネットワークインタフェースで異なる宛先アドレスを含むカプセル化ヘッダが付与された前記無線端末装置宛てのパケットを受信する基地局装置のパケット振分け方法において、
前記第１の無線インタフェースと前記第２の無線インタフェースの無線品質情報を取得し、
受信したパケットを前記無線品質情報に基づき前記第１の無線インタフェースと前記第２の無線インタフェースのいずれを用いて前記無線端末装置に送信するか振分判断し、前記振分判断の結果に従って、前記第１のネットワークインタフェースと前記第２のネットワークインタフェースから受信したパケットに付与されている前記カプセル化ヘッダの宛先アドレスを変換し、
前記カプセル化ヘッダが付与されパケットを前記カプセル化ヘッダに含まれる宛先アドレスに従って前記第１の無線インタフェース又は前記第２の無線インタフェースを介して前記無線端末装置に送信する、
ことを特徴とするパケット振分け方法。
【発明の詳細な説明】
【技術分野】
【０００１】
本発明は、基地局装置、無線端末装置及びパケット振分け方法に関する。
【背景技術】
【０００２】
近年、無線通信技術の進展により、様々な無線通信アクセスシステムの利用が可能となっている。主要な無線通信システムとしては、携帯無線通信システムとして利用されるＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）等のセルラー通信システムや、ＩＥＥＥ８０２．１６技術をベースとしたＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、そしてＩＥＥＥ８０２．１１技術による無線ＬＡＮなどがあげられる。
【０００３】
モバイル通信への要求や端末の実装技術の進展により、複数の無線通信アクセスシステムとの通信インタフェースを有する無線端末が普及しつつある。代表的な無線端末としては、スマートフォンやタブレット端末で、セルラー通信システムと無線ＬＡＮの２つの無線通信インタフェース（デュアル端末）を有することが一般的である。現在、デュアル端末は各無線アクセス回線の電波品質等により、どちらか一方の無線アクセス回線を選択して、使用することが一般的である。一方、複数の異なる無線アクセス回線を同時に使用することで、より高速な通信を可能とする技術も登場してきている（例えば特許文献１，２，３参照）。
【０００４】
図１に従来の無線通信システムの一例の構成図を示す。図１において、基地局装置１０のコア網側インタフェース１１はコア網と接続して通信データを送受信する。仮想ＭＡＣ処理部１２は仮想ＭＡＣアドレスを用いたリンクを確立するための処理を行い、移動局装置２０の仮想ＭＡＣ処理部２２との間で仮想ＭＡＣアドレスを用いたリンクを確立する。また、仮想ＭＡＣ処理部１２は、このリンクを用いて伝送するフレームを生成する。スイッチ部１３は仮想ＭＡＣ処理部１２からのリンクフレームを各無線モジュール１４ａ〜１４ｃに分配し、また、各無線モジュール１４ａ〜１４ｃから供給されるリンクフレームを仮想ＭＡＣ処理部１２に出力する。
【０００５】
マクロセル無線モジュール１４ａは３Ｇ（３ｒｄ  Ｇｅｎｅｒａｔｉｏｎ）又はＬＴＥにより移動局装置２０のマクロセル無線モジュール２４ａとの間で無線通信を行う。マイクロセル無線モジュール１４ｂはＷｉＭＡＸによりマクロセル無線モジュール２４ｂとの間で無線通信を行う。ピコセル無線モジュール１４ｃは無線ＬＡＮによりピコセル無線モジュール２４ｃとの間で無線通信を行う。無線環境認識部１５は無線環境を認識し、その認識結果に基づき、スイッチ部１３に対して仮想ＭＡＣ処理部１２から入力されるリンクフレームの分配先を指示する。
【０００６】
無線端末装置としての移動局装置２０は基地局装置１０と概ね同様の構成を採る。移動局装置２０のユーザ網側インタフェース２１はネットワーク層の処理を行う。なお、移動局装置２０は仮想ＭＡＣ処理部２２を有しているが、これに限定されるわけではない。移動局装置２０は無線環境認識部２５が取得した通信品質などの情報に基づき、無線モジュール２４ａ〜２４ｃから最適な無線モジュールを選択するようにスイッチ部２３を制御する。
【０００７】
図２に複数の無線アクセスシステムがネットワークで接続された構成を示す。図２において、マクロ無線アクセス網３１とオペレータコア網３２からなるセルラー網にＷｉＦｉアクセス網３３が接続されている。図２においては、無線端末装置３４はＷ−ＣＤＭＡ等の無線アクセス回線でマクロ無線アクセス網３１に接続すると共に、ＷｉＦｉアクセス網３３に接続する。そして、オペレータコア網３２内のＨＡ（Ｈｏｍｅ  Ａｇｅｎｔ）３５からモバイルＩＰ技術を用いた２つのコネクション、すなわちマクロ無線アクセス網３１経由と、ＷｉＦｉアクセス網３３経由とを設定し、それぞれ別のトラフィックフローを通すことができる。
【０００８】
また、セルラー通信システムにおいては、ビル屋上や鉄塔に設置されて半径数Ｋｍのエリアをカバー可能なマクロ基地局に加え、家庭などの屋内に設置され、半径１０ｍ程度のエリアをカバーするフェムトセル基地局が普及しつつある。このフェムトセル基地局に無線ＬＡＮインタフェースを実装した製品も登場している。
【先行技術文献】
【特許文献】
【０００９】
【特許文献１】特開２０１１−１４２６０２号公報
【特許文献２】特開２００９−２４６８７５号公報
【特許文献３】特開２０１１−６１２５３号公報
【発明の概要】
【発明が解決しようとする課題】
【００１０】
ＬＴＥフェムトセルのような無線ＬＡＮインタフェース付きのフェムトセル基地局において、無線ＬＡＮとＬＴＥの両無線回線を利用する場合に、以下のような課題がある。
【００１１】
フェムトセル基地局は、家庭などの屋内に設置されるため、携帯オペレータ網への接続の他に、インターネットアクセスやホームネットワークへの接続機能を無線端末装置に提供する必要がある。このとき、例えばホームネットワーク内の通信でＬＴＥと無線ＬＡＮの同時利用を行う要求もある。このＬＴＥ回線と無線ＬＡＮ回線の同時利用は、ブロードバンドのボトルネックがないだけに効果が大きい。従来のように、図１の基地局装置１０や図２のオペレータコア網３２でパケットの振分けを行う場合、振分けポイントがホームネットワークの外部である。このため、携帯オペレータ網向けトラフィックとホームネットワーク内トラフィックの双方に対してアグリゲーション機能を提供することができないという問題があった。
【００１２】
図２に示すように、ネットワークの上流でＬＴＥと無線ＬＡＮにパケットの振分けを行う場合、振分判断がネットワークの上流で行われる。このため、最終的には、無線ＬＡＮ−ＩＦ付きのフェムトセル基地局を経由して無線端末装置と通信するにもかかわらず、フェムトセル基地局と無線端末装置との間のＬＴＥ回線と無線ＬＡＮ回線それぞれの無線回線の状態（混雑度や無線品質）に応じたパケット振分けを行えない。そのために、例えば無線ＬＡＮが混雑していたり、品質が劣化しているときに、無線ＬＡＮ回線を経由した通信レートが遅くなる一方、ＬＴＥ回線側には余裕があると言う事態が発生する場合がある。また、無線端末装置でＬＴＥ回線と無線ＬＡＮ回線から到着するパケットのパケット順序を整列させるとき、例えば無線ＬＡＮ回線側の遅延が大きいと順序整列遅延が増大し、エンド−エンドの遅延も増大し、通信品質の劣化要因となってしまう。
【００１３】
開示の基地局装置は、各無線回線の状態に応じたパケット振分けを行うことを目的とする。
【課題を解決するための手段】
【００１４】
開示の一実施形態による基地局装置は、第１の無線インタフェースと第２の無線インタフェースを用いて無線端末装置と接続し、ネットワークインタフェースを用いてネットワークと接続する基地局装置において、
前記ネットワークインタフェースから受信したパケットに、前記第１の無線インタフェースと前記第２の無線インタフェースで共通の宛先アドレスを含むリンクアグリゲーション用ヘッダを付与するヘッダ付与部と、
前記第１の無線インタフェースと前記第２の無線インタフェースの無線品質情報を取得する無線品質取得部と、
前記リンクアグリゲーション用ヘッダを付与されたパケットを前記無線品質情報に基づき前記第１の無線インタフェースと第２の無線インタフェースのいずれかに振分けて前記無線端末装置に送信する振分送信部と、を有する
【発明の効果】
【００１５】
本実施形態によれば、各無線回線の状態に応じたパケット振分けを行うことができる。
【図面の簡単な説明】
【００１６】
【図１】従来の無線通信システムの一例の構成図である。
【図２】複数の無線アクセスシステムがネットワークで接続された構成を示す図である。
【図３】フェムトセル基地局装置の第１実施形態の構成図である。
【図４】ＧＴＰトンネルを説明するための図である。
【図５】ＬＡヘッダ付きのＩＰパケットのフォーマットを示す図である。
【図６】フロー識別処理の第１実施形態のフローチャートである。
【図７】フローテーブル及びＳＮテーブルを示す図である。
【図８Ａ】振分判断処理の一実施形態のフローチャートである。
【図８Ｂ】振分判断処理の一実施形態の変形例のフローチャートである。
【図９】各無線回線使用率における振分比率のイメージを示す図である。
【図１０】受信パケット処理の一実施形態のフローチャートである。
【図１１】次ＳＮテーブルを示す図である。
【図１２】タイマ割込処理のフローチャートである。
【図１３】無線端末装置の一実施形態の構成図である。
【図１４】受信パケット処理の一実施形態のフローチャートである。
【図１５】フェムトセル基地局装置と無線端末装置の間のパケットの流れを示す図である。
【図１６】無線端末装置とフェムトセル基地局装置がＬＴＥと無線ＬＡＮの両無線リンクで直接接続する実施形態を示す図である。
【図１７】無線ＬＡＮアクセスポイントを経由したフェムトセル基地局装置と無線端末装置が接続した実施形態を示す図である。
【図１８】ＬＴＥ回線とＷＬＡＮ回線とに振分けるリンクアグリゲーションを用いたパケット転送方法を示す図である。
【図１９】ＬＴＥ網から受信したパケットをＷＬＡＮインタフェースに再振分する動作例を示す図である。
【図２０】フェムトセル基地局装置の第２実施形態の構成図である。
【図２１】フロー識別処理の第２実施形態のフローチャートである。
【図２２】フローテーブルを示す図である。
【図２３】フロー識別処理の第３実施形態のフローチャートである。
【図２４】遅延差を算出する処理のフローチャートである。
【発明を実施するための形態】
【００１７】
以下、図面に基づいて実施形態を説明する。
【００１８】
＜第１実施形態：フェムトセル基地局装置の構成＞
図３にフェムトセル基地局装置の第１実施形態の構成図を示す。図３において、フェムトセル基地局装置４０内のＷｉＦｉ−ＩＦ４１は無線ＬＡＮ（ＷＬＡＮ）インタフェースであり、無線端末装置の無線ＬＡＮインタフェースと無線接続する。ＬＴＥ−ＩＦ４２は無線端末装置のＬＴＥインタフェースと無線接続する。ＷｉＦｉ−ＩＦ４１とＬＴＥ−ＩＦ４２はそれぞれ無線ＬＡＮ回線及びＬＴＥ回線の無線回線状況を無線状況取得部４３に通知する。これと共に、ＷｉＦｉ−ＩＦ４１とＬＴＥ−ＩＦ４２は無線端末装置から受信したパケットをアグリゲーション機能部４４内の受信部５１に供給し、アグリゲーション機能部４４内の送信部５２から受信したパケットを無線端末装置に無線ＬＡＮ回線及びＬＴＥ回線を通じて送信する。
【００１９】
無線状況取得部４３は、ＷｉＦｉ−ＩＦ４１とＬＴＥ−ＩＦ４２それぞれで測定された無線回線の品質（例えばＳＮＲ：Ｓｉｇｎａｌ  ｔｏ  Ｎｏｉｓｅ  Ｒａｔｉｏ）、混雑状況（例えば回線の使用率）を収集し、アグリゲーション機能部４４内の振分判断部５３に通知する。
【００２０】
アグリゲーション機能部４４は例えばＣＰＵ４５及びメモリ４６で構成されており、ＣＰＵ４５においてメモリ４６に格納されているプログラムを実行することで、受信部５１、送信部５２、振分判断部５３、受信パケット処理部５４、ヘッダ付与部５５それぞれとしての処理を実行する。
【００２１】
受信部５１は無線ＬＡＮ回線及びＬＴＥ回線から受信したパケットのエラーチェック等を行い、パケットを受信パケット処理部５４に転送する。受信パケット処理部５４は無線ＬＡＮ回線及びＬＴＥ回線から受信したパケットに付与されているシーケンス番号を基に、パケット順序を再整理する。そして、受信パケット処理部５４はパケットヘッダ内の宛先アドレスを基に、ホームネットワーク等のネットワークインタフェース（ＮＷ−ＩＦ）４７とモバイルオペレータ網へのトンネルインタフェース（トンネル−ＩＦ）４８にパケットの振分けを実行する。なお、トンネルインタフェースはネットワークインタフェースに定義された仮想インタフェースである。
【００２２】
ネットワークインタフェース４７及びトンネルインタフェース４８それぞれは受信パケット処理部５４からのパケットを上位通信ノードに転送する。これと共に、ネットワークインタフェース４７及びトンネルインタフェース４８それぞれは上位通信ノードから受信したパケットをヘッダ付与部５５に転送する。
【００２３】
ここで、図４（Ａ）にフェムトセル基地局装置のプロトコルスタックを示す。無線端末装置側のＬＴＥ−ＩＦ４２又はＷｉＦｉ−ＩＦ４１から受信したパケットは、宛先ＩＰアドレスで送信先インタフェースを選択するＩＰルーティングされるべく、ＩＰ層（ルーティング層）に上がる。ネットワーク側については、モバイル網につながるためのＧＴＰ（ＧＰＲＳ  Ｔｕｎｎｅｌｉｎｇ  Ｐｒｏｔｏｃｏｌ）トンネルが論理的なインタフェースと見え、また、ローカルネットワークに直接つながるためのＭＡＣインタフェースも見えることになる。
【００２４】
ＧＴＰトンネルは、図４（Ｂ）に示すように、フェムトセル基地局からモバイル網装置間に設定され、フェムトセル基地局でＧＴＰトンネルにマッピングされたパケットは、モバイル網装置までＧＴＰトンネルでトランスペアレントに送信される。
【００２５】
ヘッダ付与部５５はネットワークインタフェース４７及びトンネルインタフェース４８から受信したパケットに対して、受信パケットのヘッダ情報からＬＴＥ回線と無線ＬＡＮ回線のどちらか一方を利用するのか、それとも両方を使うのかを判断し、判断結果の情報を装置内タグとしてパケットに関連付ける。これと共に、ＬＴＥ回線と無線ＬＡＮ回線を同時利用する場合、シーケンス番号と同時利用するパケットフローに共通のＩＰアドレスを含むＬＡヘッダをパケットに付与して送信部５２に送信する。なお、ＬＡはＬｉｎｋ  Ａｇｇｒｅｇａｔｉｏｎの略である。
【００２６】
送信部５２はヘッダ付与部５５からの装置内タグを参照して、関連するパケットがＬＴＥ回線又は無線ＬＡＮ回線のみの単一回線を使用するか、両回線を利用するかを判断して、単一回線利用の場合は装置内タグで示される無線回線インタフェースにパケットを転送する。一方、同時利用する場合、振分判断部５３からの情報を基に当該パケットの送信に利用する無線回線インタフェースを決定し、決定した無線回線インタフェースにパケットを転送する。このとき、振分判断部５３では、無線状況取得部４３からの情報に基づいて、パケット毎に転送する無線回線を選択して送信部５２に通知する。
【００２７】
ここで、装置内タグは２ビット構成であり、"０１"はＬＴＥ回線のみに送信するフローのパケットを表し、"１０"は無線ＬＡＮ回線のみに送信するフローのパケットを表す。また、"１１"はＬＴＥ回線と無線ＬＡＮ回線の両方に送信するリンクアグリゲーション対象フローのパケットを表す。"００"は未使用（ｒｅｓｅｒｖｅｄ）を表す。装置内タグは信号線としてパケットと並走させても良く、パケットの先頭に付与することもできる。
【００２８】
図５にＬＡヘッダ付きのＩＰパケットのフォーマットを示す。ＬＡヘッダは２０バイトのＶ−ＩＰ（Ｖｉｒｔｕａｌ−Ｉｎｔｅｒｎｅｔ  Ｐｒｏｔｏｃｏｌ）と、１２バイトのＧＲＥ（Ｇｅｎｅｒｉｃ  Ｒｏｕｔｉｎｇ  Ｅｎｃａｐｓｕｌａｔｉｏｎ）と、ユーザＩＰパケットを有する。Ｖ−ＩＰとＧＲＥがＬＡヘッダである。Ｖ−ＩＰの送信元ＩＰアドレス（Ｓｏｕｒｃｅ  ＩＰ  Ａｄｄｒｅｓｓ）と宛先ＩＰアドレス（Ｄｅｓｔｉｎａｔｉｏｎ  ＩＰ  Ａｄｄｒｅｓｓ）がリンクアグリゲーション対象フローのＩＰアドレスである。ＧＲＥには、フローＩＤとシーケンス番号が配置されている。フローＩＤはパケットフローを識別するものであり、シーケンス番号はパケットフロー毎にパケットの受信又は送信の順序を示している。また、ユーザＩＰパケットつまり元のパケットは、ＩＰヘッダと、ペイロードを有している。
【００２９】
＜フロー識別処理の第１実施形態＞
図６にヘッダ付与部５５が実行するフロー識別処理の第１実施形態のフローチャートを示す。この処理は受信パケットを供給されたときに実行開始される。図６において、ステップＳ１でヘッダ付与部５５は受信パケットのＩＰヘッダ内の宛先ＩＰアドレスとポート番号を用いて図７（Ａ）に示すフローテーブルを検索してフローを識別するためのフローＩＤと送信モードを得る。
【００３０】
図７（Ａ）において、フローＩＤはパケットフローを識別するために用いる。送信モードはリンクアグリゲーション（ＬＡ）を行うか、ＬＴＥ回線のみを使用するか（ＬＴＥ）、又は、無線ＬＡＮ回線のみを使用するか（ＷＬＡＮ）を判定するために用いる。フローテーブルはメモリ４６に保持されている。なお、フローテーブルの各エントリは宛先ＩＰアドレスとポート番号が同一のパケットフローの最初のパケットが供給されたとき、宛先ＩＰアドレスとポート番号からフローＩＤと送信モードが決定され、フローテーブルに設定される。
【００３１】
例えばＦＴＰ（Ｆｉｌｅ  Ｔｒａｎｓｆｅｒ  Ｐｒｏｔｏｃｏｌ）やＨＴＴＰ（Ｈｙｐｅｒｔｅｘｔ  Ｔｒａｎｓｆｅｒ  Ｐｒｏｔｏｃｏｌ）を用いる宛先ＩＰアドレスとポート番号のパケットフローに対してはリンクアグリゲーションを行うように設定する。また、例えばＱｏＳや遅延に厳しいＶｉｄｅｏ  Ｓｔｒｅａｍｉｎｇや音声（ＶｏＩＰ）などを用いる宛先ＩＰアドレスとポート番号のパケットフローに対してはＬＴＥを設定し、それら以外のベストエフォートのトラフィックに対してはＷＬＡＮを設定することが考えられる。
【００３２】
ステップＳ２でヘッダ付与部５５はステップＳ１で得た受信パケットの送信モードがリンクアグリゲーション（ＬＡ）であるか否かを判別する。リンクアグリゲーションであれば、ステップＳ３でヘッダ付与部５５は受信パケットに共通ＩＰアドレスとシーケンス番号を含むＬＡヘッダを付与し、図７（Ｂ）に示すＳＮテーブルのシーケンス番号を更新する。図７（Ｂ）に示すように、ＳＮテーブルはフローＩＤ毎にシーケンス番号（ＳＮ）を保持し、ＳＮテーブルはメモリ４６に保持されている。
【００３３】
次に、ステップＳ４でヘッダ付与部５５はリンクアグリゲーション利用を表す装置内タグ"１１"を付与し、ステップＳ５で送信部５２に当該パケットを転送する。
【００３４】
一方、ステップＳ２で受信パケットの送信モードがＬＴＥ又はＷＬＡＮの場合にはステップＳ６で受信パケットの送信モードがＬＴＥであるか否かを判別する。送信モードがＬＴＥの場合はステップＳ７でヘッダ付与部５５はＬＴＥ回線のみの利用を表す装置内タグ"０１"を付与し、ステップＳ５で送信部５２に当該パケットを転送する。また、ステップＳ６で受信パケットの送信モードがＷＬＡＮの場合はステップＳ８でヘッダ付与部５５は無線ＬＡＮ回線のみの利用を表す装置内タグ"１０"を付与し、ステップＳ５で送信部５２に当該パケットを転送する。
【００３５】
＜振分判断処理＞
図８Ａは振分判断部５３が実行する振分判断処理の一実施形態のフローチャートを示す。ここで、ρＬＴＥはＬＴＥ回線全体の使用率、ρＷＬＡＮは無線ＬＡＮ回線全体の使用率、ρｆｌｏｗ−ＬＴＥは当該フローのＬＴＥ回線の使用率、ρｆｌｏｗ−ＷＬＡＮは当該フローのＬＴＥ回線の使用率である。また、ＴＨＬＴＥはＬＴＥ回線の使用率の閾値（例えば８０％程度）であり、ＴＨＷＬＡＮは無線ＬＡＮ回線の使用率の閾値（例えば４０％程度）であるものとする。
【００３６】
図８Ａにおいて、ステップＳ１１で振分判断部５３は無線状況取得部４３から無線ＬＡＮ回線及びＬＴＥ回線の無線回線状況を取得する。ステップＳ１２で振分判断部５３はＬＴＥ回線全体の使用率ρＬＴＥが閾値ＴＨＬＴＥ以上、かつ、無線ＬＡＮ回線全体の使用率ρＷＬＡＮが閾値ＴＨＷＬＡＮ未満であるかを判別する。ρＬＴＥ≧ＴＨＬＴＥかつρＷＬＡＮ＜ＴＨＷＬＡＮであればステップＳ１３で振分判断部５３は振分比率ＬＴＥ：ＷＬＡＮ＝０：１を設定し、つまり無線ＬＡＮ回線だけを用いたパケットの転送を設定し、ステップＳ１４で上記振分比率を送信部５２に指示する。
【００３７】
ステップＳ１２でρＬＴＥ＜ＴＨＬＴＥもしくはρＷＬＡＮ≧ＴＨＷＬＡＮであれば、ステップＳ１５でρＷＬＡＮ≧ＴＨＷＬＡＮかつρＬＴＥ＜ＴＨＬＴＥであるかを判別する。ここで、ρＷＬＡＮ≧ＴＨＷＬＡＮかつρＬＴＥ＜ＴＨＬＴＥであればステップＳ１６で振分判断部５３は振分比率ＬＴＥ：ＷＬＡＮ＝１：０を設定し、つまりＬＴＥ回線だけを用いたパケットの転送を設定し、ステップＳ１４で上記振分比率を送信部５２に指示する。
【００３８】
一方、ステップＳ１５でρＷＬＡＮ＜ＴＨＷＬＡＮもしくはρＬＴＥ≧ＴＨＬＴＥであればステップＳ１７で振分判断部５３は振分比率ＬＴＥ：ＷＬＡＮ＝１−（ρＬＴＥ−ρｆｌｏｗ−ＬＴＥ）：１−（ρＷＬＡＮ−ρｆｌｏｗ−ＷＬＡＮ）を設定し、ステップＳ１４で上記振分比率を送信部５２に指示する。なお、図９に上記図８のフローチャートによる各無線回線使用率における振分比率のイメージを示す。
【００３９】
なお、上記実施形態では各無線回線使用率つまり混雑状況に応じて振分比率ＬＴＥ：ＷＬＡＮを決定しているが、更に各無線回線の品質を加味して振分比率ＬＴＥ：ＷＬＡＮを決定してもよい。
【００４０】
図８Ｂは振分判断部５３が実行する振分判断処理の一実施形態の変形例のフローチャートを示す。ここで、ＳＮＲＬＴＥはＬＴＥ回線の無線品質（ＳＮＲ）、ＴＨＳ−ＬＴＥはＬＴＥで通信するための最低限の無線品質（ＳＮＲ）、ＳＮＲＷＬＡＮは無線ＬＡＮ回線の無線品質（ＳＮＲ）、ＴＨＳ−ＷＬＡＮは無線ＬＡＮ回線で通信するための最低限の無線品質（ＳＮＲ）であるものとする。
【００４１】
図８Ｂにおいて、ステップＳ１１で振分判断部５３は無線状況取得部４３から無線ＬＡＮ回線及びＬＴＥ回線の無線回線状況を取得する。ステップＳ１８で振分判断部５３はＬＴＥ回線全体の使用率ρＬＴＥが閾値ＴＨＬＴＥ以上、かつ、無線ＬＡＮ回線全体の使用率ρＷＬＡＮが閾値ＴＨＷＬＡＮ未満であるか、又は、ＬＴＥ回線の無線品質ＳＮＲＬＴＥがＬＴＥで通信するための最低限の無線品質ＴＨＳ−ＬＴＥ未満であるかを判別する。ρＬＴＥ≧ＴＨＬＴＥかつρＷＬＡＮ＜ＴＨＷＬＡＮ、又は、ＳＮＲＬＴＥ＜ＴＨＳ−ＬＴＥであればステップＳ１３で振分判断部５３は振分比率ＬＴＥ：ＷＬＡＮ＝０：１を設定し、つまり、無線ＬＡＮ回線だけを用いたパケットの転送を設定し、ステップＳ１４で上記振分比率を送信部５２に指示する。
【００４２】
ステップＳ１８の条件を満足しない場合、ステップＳ１９でρＷＬＡＮ≧ＴＨＷＬＡＮかつρＬＴＥ＜ＴＨＬＴＥであるか、又は、ＬＴＥ回線の無線品質ＳＮＲＷＬＡＮがＷＬＡＮで通信するための最低限の無線品質ＴＨＳ−ＷＬＡＮ未満であるかを判別する。ここで、ρＷＬＡＮ≧ＴＨＷＬＡＮかつρＬＴＥ＜ＴＨＬＴＥ、又は、ＳＮＲＷＬＡＮ＜ＴＨＳ−ＷＬＡＮであればステップＳ１６で振分判断部５３は振分比率ＬＴＥ：ＷＬＡＮ＝１：０を設定し、つまりＬＴＥ回線だけを用いたパケットの転送を設定し、ステップＳ１４で上記振分比率を送信部５２に指示する。
【００４３】
一方、ステップＳ１９の条件を満足しない場合、ステップＳ１７で振分判断部５３は振分比率ＬＴＥ：ＷＬＡＮ＝１−（ρＬＴＥ−ρｆｌｏｗ−ＬＴＥ）：１−（ρＷＬＡＮ−ρｆｌｏｗ−ＷＬＡＮ）を設定し、ステップＳ１４で上記振分比率を送信部５２に指示する。
【００４４】
＜受信パケット処理＞
図１０は、受信パケット処理部５４が実行する受信パケット処理の一実施形態のフローチャートを示す。図１０において、ステップＳ２１で受信パケット処理部５４は受信部５１からパケットを受信する。ステップＳ２２で受信パケット処理部５４は受信パケットのＬＡヘッダ又は装置内タグからリンクアグリゲーション（ＬＡ）されたパケットか否かを判断する。
【００４５】
リンクアグリゲーションされたパケットであればステップＳ２３で受信パケットのＬＡヘッダからフローＩＤとシーケンス番号を取得する。ステップＳ２４で受信パケット処理部５４は取得したフローＩＤを用いて、図１１に示す次ＳＮテーブルから次シーケンス番号を読み出し、受信パケットのＬＡヘッダからのシーケンス番号（ＳＮ）と次シーケンス番号（Ｎｅｘｔ  ＳＮ）が一致するか否かを判別する。図１１に示すように、次ＳＮテーブルは、フローＩＤ毎に次シーケンス番号を保持し、ＳＮテーブルはメモリ４６に保持されている。
【００４６】
ステップＳ２４で一致の場合、ステップＳ２５で受信パケット処理部５４は受信パケットのＶ−ＩＰの宛先ＩＰアドレスに従ってルーティングを行う。そして、ステップＳ２６で受信パケット処理部５４は次ＳＮテーブルの当該フローＩＤに対応する次シーケンス番号を１だけインクリメントして更新する。
【００４７】
ステップＳ２７で受信パケット処理部５４はウエイティングパケットの有無を判別する。ウエイティングパケットがある場合、ステップＳ２８でウエイティングパケットのシーケンス番号が当該フローＩＤに対応する次シーケンス番号と一致するか否かを判別する。ステップＳ２８で一致の場合、ステップＳ２９でウエイティングパケットをそのＶ−ＩＰの宛先ＩＰアドレスに従ってルーティングを行ってステップＳ２６に進む。ステップＳ２７でウエイティングパケットがない場合、又はステップＳ２８で不一致の場合には、処理を終了する。
【００４８】
一方、ステップＳ２４で不一致の場合、ステップＳ３１で受信パケット処理部５４は受信パケットをメモリ４６内のバッファにウエイティングパケットとして蓄積する。次に、ステップＳ３２で受信パケット処理部５４はタイマを起動して、処理を終了する。
【００４９】
更に、ステップＳ２２で受信パケットがリンクアグリゲーション（ＬＡ）されたパケットではない場合、ステップＳ３３で受信パケット処理部５４は受信パケットをそのＩＰアドレス（Ｕｓｅｒ  ＩＰ  ｐａｃｋｅｔ内の宛先ＩＰアドレス）に従ってルーティングを行い、処理を終了する。
【００５０】
＜タイマ割込処理＞
ステップＳ３２で起動したタイマが満了（タイムアウト）すると、図１２に示すタイマ割込処理が実行される。図１２において、ステップＳ３５で受信パケット処理部５４はバッファからウエイティングパケットを読み出し、そのＩＰアドレスに従って当該ウエイティングパケットのルーティングを行う。ステップＳ３６で受信パケット処理部５４は次ＳＮテーブルの当該ウエイティングパケットのフローＩＤに対応する次シーケンス番号を１だけインクリメントして更新して、割込処理を終了する。
【００５１】
＜無線端末装置の構成＞
図１３に無線端末装置の一実施形態の構成図を示す。図１３において、無線端末装置６０内のＷｉＦｉ−ＩＦ６１は無線ＬＡＮインタフェースであり、フェムトセル基地局の無線ＬＡＮインタフェースと無線接続する。ＬＴＥ−ＩＦ６２はフェムトセル基地局のＬＴＥインタフェースと無線接続する。ＷｉＦｉ−ＩＦ６１とＬＴＥ−ＩＦ６２はそれぞれ無線ＬＡＮ回線及びＬＴＥ回線の無線回線状況を無線状況取得部６３に通知する。これと共に、ＷｉＦｉ−ＩＦ６１とＬＴＥ−ＩＦ６２は無線端末装置から受信したパケットをアグリゲーション機能部６４内の受信部７１に供給し、アグリゲーション機能部６４内の送信部７２から受信したパケットをフェムトセル基地局に各無線回線を通じて送信する。
【００５２】
無線状況取得部６３は、ＷｉＦｉ−ＩＦ６１とＬＴＥ−ＩＦ６２それぞれで測定された無線回線の品質、混雑状況を収集し、アグリゲーション機能部６４内の振分判断部７３に通知する。
【００５３】
アグリゲーション機能部６４は例えばＣＰＵ６５及びメモリ６６で構成されており、ＣＰＵ６５においてメモリ６６に格納されているプログラムを実行することで、受信部７１、送信部７２、振分判断部７３、受信パケット処理部７４、ヘッダ付与部７５それぞれとしての処理を実行する。
【００５４】
受信部７１は無線ＬＡＮ回線及びＬＴＥ回線から受信したパケットのエラーチェック等を行い、パケットを受信パケット処理部７４に転送する。受信パケット処理部７４は無線ＬＡＮ回線及びＬＴＥ回線から受信したパケットに付与されているシーケンス番号を基にパケット順序を再整理して、アプリケーション７７に転送する。
【００５５】
アプリケーション７７は入出力インタフェース７８を介して表示部、タッチパネル部、電話機能部などと接続されており、受信したパケットそれぞれの各種処理を行って表示部、タッチパネル部、電話機能部などに供給する。また、アプリケーション７７は表示部、タッチパネル部、電話機能部などからの入力に応じた各種処理を行って送信パケットを生成し、ヘッダ付与部７５に供給する。
【００５６】
ヘッダ付与部７５はアプリケーション７７から受信したパケットに対して、パケットヘッダ情報からＬＴＥ回線と無線ＬＡＮ回線のどちらか一方を利用するのか、それとも両方を使うのかを判断し、判断結果の情報を装置内タグとしてパケットに関連付ける。これと共に、ＬＴＥ回線と無線ＬＡＮ回線を同時利用する場合、シーケンス番号と同時利用するパケットフローに共通のＩＰアドレスを含むＬＡヘッダをパケットに付与して、送信部７２に送信する。ヘッダ付与部７５が実行するフロー識別処理等の動作はフェムトセル基地局装置４０内のヘッダ付与部５５と同様である。
【００５７】
送信部７２はヘッダ付与部７５からの装置内タグを参照して、関連するパケットがＬＴＥ回線又は無線ＬＡＮ回線のみの単一回線を使用するか、両回線を利用するかを判断して、単一回線利用の場合は装置内タグで示される無線回線インタフェースにパケットを転送する。一方、同時利用する場合、振分判断部７３からの情報を基に当該パケットの送信に利用する無線回線インタフェースを決定し、決定した無線回線インタフェースにパケットを転送する。このとき、振分判断部７３では、無線状況取得部６３からの情報に基づいて、パケット毎に転送する無線回線を選択して送信部７２に通知する。振分判断部７３が実行する振分判断処理等の動作はフェムトセル基地局装置４０内の振分判断部５３と同様である。
【００５８】
＜無線端末装置の受信パケット処理＞
図１４は、受信パケット処理部７４が実行する受信パケット処理の一実施形態のフローチャートを示す。図１４において、ステップＳ４１で受信パケット処理部７４は受信部７１からパケットを受信する。ステップＳ４２で受信パケット処理部７４は受信パケットのＬＡヘッダ又は装置内タグからからリンクアグリゲーション（ＬＡ）されたパケットか否かを判断する。
【００５９】
リンクアグリゲーションされたパケットであればステップＳ４３で受信パケットのＬＡヘッダからフローＩＤとシーケンス番号を取得する。ステップＳ４４で受信パケット処理部７４は取得したフローＩＤを用いて、図１１に示す次ＳＮテーブルから次シーケンス番号を読み出し、受信パケットのＬＡヘッダからのシーケンス番号（ＳＮ）と、次シーケンス番号（Ｎｅｘｔ  ＳＮ）が一致するか否かを判別する。図１１に示すように、次ＳＮテーブルは、フローＩＤ毎に次シーケンス番号を保持し、ＳＮテーブルはメモリ４６に保持されている。
【００６０】
ステップＳ４４で一致の場合、ステップＳ４５で受信パケット処理部７４は受信パケットを上位プロトコルレイヤであるアプリケーション７７に転送する。そして、ステップＳ４６で受信パケット処理部７４は次ＳＮテーブルの当該フローＩＤに対応する次シーケンス番号を１だけインクリメントして更新する。
【００６１】
ステップＳ４７で受信パケット処理部７４はウエイティングパケットの有無を判別する。ウエイティングパケットがある場合、ステップＳ４８でウエイティングパケットのシーケンス番号が当該フローＩＤに対応する次シーケンス番号と一致するか否かを判別する。ステップＳ４８で一致の場合、ステップＳ４９でウエイティングパケットを上位プロトコルレイヤであるアプリケーション７７に転送する。ステップＳ４７でウエイティングパケットがない場合、又はステップＳ４８で不一致の場合には、処理を終了する。
【００６２】
一方、ステップＳ４４で不一致の場合、ステップＳ５１で受信パケット処理部７４は受信パケットをメモリ４６内のバッファにウエイティングパケットとして蓄積する。次に、ステップＳ５２で受信パケット処理部７４はタイマを起動して、処理を終了する。
【００６３】
更に、ステップＳ４２で受信パケットがリンクアグリゲーション（ＬＡ）されたパケットではない場合ステップＳ５３で受信パケット処理部７４は受信パケットを上位プロトコルレイヤであるアプリケーション７７に転送して、処理を終了する。なお、ステップＳ５２で起動したタイマについてのタイマ割込処理は図１２と同様である。
【００６４】
＜パケットの流れ＞
図１５にフェムトセル基地局装置４０と無線端末装置６０の間のパケットの流れの一実施形態を示す。図中の各パケットに付した丸付き数字はＬＡヘッダのシーケンス番号を示している。
【００６５】
図１５において、フェムトセル基地局装置４０のネットワークインタフェース４７から出力されるパケット＃ａ，＃ｂはアグリゲーション機能部４４に供給される。パケット＃ａはＷｉＦｉ−ＩＦ４１から無線ＬＡＮ回線で無線端末装置６０に送信され、パケット＃ｂはＬＴＥ−ＩＦ４２からＬＴＥ回線で無線端末装置６０に送信される。
【００６６】
パケット＃ａは無線端末装置６０のＷｉＦｉ−ＩＦ６１で受信されず、パケット＃ｂは無線端末装置６０のＬＴＥ−ＩＦ６２で受信される。受信されなかったパケット＃ａはＷｉＦｉ−ＩＦ４１から無線ＬＡＮ回線で無線端末装置６０に再送され、無線端末装置６０のＷｉＦｉ−ＩＦ６１で受信される。無線端末装置６０の受信パケット処理部７４では受信したパケットに付与されているシーケンス番号を基にパケット順序を再整理してアプリケーション７７に転送する。
【００６７】
上記実施形態によれば、ＬＴＥ回線と無線ＬＡＮ回線それぞれの状態つまり混雑度や無線回線の品質に応じたパケット振分けを行うことができ、また、携帯オペレータ網向けトラフィックとホームネットワーク内トラフィックの双方に対してアグリゲーション機能を提供することができる。
【００６８】
＜ネットワーク構成＞
図１６に無線端末装置６０とフェムトセル基地局装置４０がＬＴＥと無線ＬＡＮの両無線リンクで直接接続する実施形態を示す。一方、フェムトセル基地局とは異なる無線ＬＡＮのアクセスポイント（ＡＰ）を介して、フェムトセル基地局装置４０と無線端末装置６０が接続する形態も考えられる。図１７に無線ＬＡＮアクセスポイント８０を経由したフェムトセル基地局装置４０と無線端末装置６０が接続した実施形態を示す。
【００６９】
図１７では、イーサネット（登録商標）等のＬＡＮ回線を用いて無線ＬＡＮアクセスポイント８０と無線端末装置６０の間を接続する。図１７においては、フェムトセル基地局装置４０の無線状況取得部６３は、ＳＮＭＰ（Ｓｉｍｐｌｅ  Ｎｅｔｗｏｒｋ  Ｍａｎｅｇｅｍｅｎｔ  Ｐｒｏｔｏｃｏｌ）等を用いて、無線ＬＡＮアクセスポイント８０の無線状況を取得する。
【００７０】
＜第２実施形態＞
第１実施形態では、フェムトセル基地局装置にてパケットフローを構成するパケットを振分ける構成であるが、ネットワークの上流でパケットを振分ける方法もあり、この方法とフェムトセル基地局装置での振分けを共存させる必要がある。
【００７１】
図１８にネットワークの上流でパケットをＬＴＥ回線とＷＬＡＮ回線とに振分けるリンクアグリゲーションを用いたパケット転送方法の一例を示す。図１８において、パケットは無線端末装置のホームアドレスをヘッダに持つパケットを意味する。パケットに付加されたカプセル化ヘッダには、宛先の無線端末装置が同一であっても、各無線アクセスリンクに固有のＩＰアドレスが付与されている。カプセル化ヘッダ＃ＡのパケットはＨＡ８１からＬＴＥ網８２を経由してフェムトセル基地局装置８３に転送され、更に、ＬＴＥ回線８４を経由して無線端末装置８５に転送される。また、カプセル化ヘッダ＃ＢのパケットはＨＡ８１からＩＰ網８６を経由してフェムトセル基地局装置８３に転送され、更に、ＷＬＡＮ（ＷｉＦｉ）回線８７を経由して無線端末装置８５に転送される。
【００７２】
図１９にフェムトセル基地局装置８３がＬＴＥ網から受信したパケットをＷＬＡＮインタフェースに再振分する第２実施形態の動作例を示す。同図中、フェムトセル基地局装置８３はパケット＃ａ〜＃ｄまでをＬＴＥ網８２から受信する。パケット＃ａ〜＃ｄはＬＴＥ網８２を転送されたため、カプセル化ヘッダ＃Ａが付加されている。
【００７３】
フェムトセル基地局装置８３のリンクアグリゲーション機能部４４において、パケット＃ａ〜＃ｃをＬＴＥ−ＩＦ４２に転送し、パケット＃ｄのみをＷＬＡＮ−ＩＦ４１に再振分けしている。これにより、ＬＴＥ回線８４が輻輳している状態であっても、迅速に、ＬＴＥ回線８４側の負荷を軽減すると共に、ＷＬＡＮ回線を活用することで、高いスループットを実現する。
【００７４】
＜第２実施形態：フェムトセル基地局装置の構成＞
図２０にフェムトセル基地局装置の第２実施形態の構成図を示す。図２０において、フェムトセル基地局装置４０内のＷｉＦｉ−ＩＦ４１は無線ＬＡＮインタフェースであり、無線端末装置の無線ＬＡＮインタフェースと無線接続する。ＬＴＥ−ＩＦ４２は無線端末装置のＬＴＥインタフェースと無線接続する。ＷｉＦｉ−ＩＦ４１とＬＴＥ−ＩＦ４２はそれぞれ無線ＬＡＮ回線及びＬＴＥ回線の無線回線状況を無線状況取得部４３に通知する。これと共に、ＷｉＦｉ−ＩＦ４１とＬＴＥ−ＩＦ４２は無線端末装置から受信したパケットをアグリゲーション機能部４４内の受信部５１に供給し、アグリゲーション機能部４４内の送信部５８から受信したパケットを無線端末装置に各無線回線を通じて送信する。
【００７５】
無線状況取得部４３は、ＷｉＦｉ−ＩＦ４１とＬＴＥ−ＩＦ４２それぞれで測定された無線回線の品質、混雑状況を収集し、アグリゲーション機能部４４内の振分判断部５６に通知する。
【００７６】
アグリゲーション機能部４４は例えばＣＰＵ４５及びメモリ４６で構成されており、ＣＰＵ４５においてメモリ４６に格納されているプログラムを実行することで、受信部５１、送信部５８、振分判断部５６、受信パケット処理部５４、ヘッダ変換部５７それぞれとしての処理を実行する。
【００７７】
受信部５１は無線ＬＡＮ回線及びＬＴＥ回線から受信したパケットのエラーチェック等を行い、パケットを受信パケット処理部５４に転送する。受信パケット処理部５４は無線ＬＡＮ回線及びＬＴＥ回線から受信したパケットに付与されているシーケンス番号を基に、パケット順序を再整理する。そして、受信パケット処理部５４はパケットヘッダ内の宛先アドレスを基に、ホームネットワーク等のネットワークインタフェース（ＮＷ−ＩＦ）４７又はモバイルオペレータ網へのトンネルインタフェース（トンネル−ＩＦ）４８にパケットの振分けを実行する。
【００７８】
ネットワークインタフェース４７及びトンネルインタフェース４８それぞれは受信パケット処理部５４からのパケットを上位通信ノードに転送する。これと共に、ネットワークインタフェース４７及びトンネルインタフェース４８それぞれは上位通信ノードから受信したパケットをヘッダ変換部５７に転送する。
【００７９】
ここで、トンネルインタフェース４８から受信したパケットがネットワークの上流の例えばＨＡでパケットの振分けが行われている場合は、当該パケットにカプセル化ヘッダが付加されている。カプセル化ヘッダのフォーマットは、図５に示すＬＡヘッダと同一構成である。ただし、Ｖ−ＩＰにある送信元ＩＰアドレスの内容が異なる。つまり、Ｄｏｗｎｌｉｎｋ（ＤＬ）の場合、Ｖ−ＩＰの送信元ＩＰアドレスはＨＡのＩＰアドレスとなる。Ｖ−ＩＰの宛先ＩＰアドレスは無線端末装置のＬＴＥ又はＷｉＦｉのＩＰアドレスとなり、ＬＴＥ回線で受信するパケットにはＬＴＥに固有のＩＰアドレス、ＷＬＡＮで受信するパケットにはＷＬＡＮに固有のＩＰアドレスを設定される。
【００８０】
なお、これに対し、ＬＡヘッダの場合にはパケットフローが同一であれば、ＬＴＥとＷＬＡＮに送信されるパケットのＶ−ＩＰの送信元ＩＰアドレスと宛先ＩＰアドレスは同一である。
【００８１】
振分判断部５６は無線状況取得部４３からの無線ＬＡＮ回線及びＬＴＥ回線の無線回線状況に基づいて振分比率ＬＴＥ：ＷＬＡＮを算出してヘッダ変換部５７に供給する。
【００８２】
ヘッダ変換部５７は同一パケットフローのパケットが２つのインタフェース（ネットワークインタフェース４７とトンネルインタフェース４８）から受信されることで、当該パケットフローが上位のネットワークでリンクアグリゲーションされていることを検出する。パケットフローの識別にはＩＰアドレスやポート番号等を利用する。そして、リンクアグリゲーションされているパケットフローのパケットの振分比率が振分判断部５６から指示された振分比率に近づくように、必要に応じて振分先すなわちカプセル化ヘッダの宛先ＩＰアドレスを変更して、送信部５８に送付する。
【００８３】
送信部５８はヘッダ変換部５７から供給されるパケットのカプセル化ヘッダの宛先ＩＰアドレスに基づいて、パケットをＷｉＦｉ−ＩＦ４１あるいはＬＴＥ−ＩＦ４２に転送する。
【００８４】
＜フロー識別処理の第２実施形態＞
図２１にヘッダ変換部５７が実行するフロー識別処理の第２実施形態のフローチャートを示す。この処理は受信パケットを供給されたときに実行開始される。図２１において、ステップＳ６１でヘッダ変換部５７は受信パケットのＩＰヘッダ内の宛先ＩＰアドレスとポート番号から図２２に示すフローテーブルを検索してフローを識別するためのフローＩＤと送信モードを得る。
【００８５】
図２２において、フローＩＤはパケットフローを識別するために用いる。送信モードはリンクアグリゲーション（ＬＡ）を行うか、ＬＴＥのみを使用するか（ＬＴＥ）、又は、無線ＬＡＮのみを使用するか（ＷＬＡＮ）を判定するために用いる。カプセル化ヘッダにはＬＴＥ回線の場合の宛先ＩＰアドレス（＃Ａ）と、無線ＬＡＮ回線の場合の宛先ＩＰアドレス（＃Ｂ）が設定されている。フローテーブルはメモリ４６に保持されているなお、フローテーブルの各エントリは宛先ＩＰアドレスとポート番号が同一のパケットフローの最初のパケットが供給されたとき、宛先ＩＰアドレスとポート番号からフローＩＤと送信モードが決定され、フローテーブルに設定される。例えばＦＴＰやＨＴＴＰを用いる宛先ＩＰアドレスとポート番号のパケットフローに対してはリンクアグリゲーションを行うように設定する。
【００８６】
ステップＳ６２でヘッダ変換部５７は受信パケットのフローの送信モードがリンクアグリゲーション（ＬＡ）であるか否かを判別して、ＨＡなどの上位ネットワーク装置で同一フローのパケットがＬＴＥ回線とＷＬＡＮ回線の両方に振分けられているか否かを判別する。そして、ＬＴＥ回線とＷＬＡＮ回線の両方に振分けられているときに、リンクアグリゲーションフローと認識する。
【００８７】
リンクアグリゲーションフローと認識すると、ステップＳ６３でヘッダ変換部５７は上位ネットワーク装置で同一フローのパケットがＬＴＥ回線とＷＬＡＮ回線の両方に振分けられ、ネットワークインタフェース４７とトンネルインタフェース４８で受信される振分比率（受信振分比率と呼ぶ）を求め、受信振分比率と振分判断部５６からの振分比率との誤差を求め、その誤差が所定の閾値を超えているかを判断する。なお、この所定の閾値は、例えば振分判断部５６からの振分比率の１０％〜２０％程度の値である。
【００８８】
誤差が所定の閾値を超えている場合、ステップＳ６４でヘッダ変換部５７は当該パケットがトンネルインタフェース４８から受信したパケットであり、かつ、受信振分比率におけるＬＴＥの比率が振分判断部５６からの振分比率におけるＬＴＥの比率より大きいという条件を満足するか否かを判別する。この条件を満足するとステップＳ６５でヘッダ変換部５７は当該受信パケットがＷＬＡＮ回線を通るように、当該受信パケットのカプセル化ヘッダの宛先ＩＰアドレスを変更し、ステップＳ６５で送信部５８に送付する。
【００８９】
一方、ステップＳ６４の条件を満足しない場合には、ステップＳ６７でヘッダ変換部５７は当該パケットがネットワークインタフェース４７から受信したパケットであり、かつ、受信振分比率におけるＷＬＡＮの比率が振分判断部５６からの振分比率におけるＷＬＡＮの比率より大きいという条件を満足するか否かを判別する。この条件を満足するとステップＳ６８でヘッダ変換部５７は当該受信パケットがＬＴＥ回線を通るように、当該受信パケットのカプセル化ヘッダの宛先ＩＰアドレスを変更し、ステップＳ６５で送信部５８に送付する。ステップＳ６７の条件を満足しない場合、又は、ステップＳ６３で誤差が所定の閾値を超えていない場合、又は、ステップＳ６２で受信パケットのフローの送信モードがリンクアグリゲーション（ＬＡ）ではない場合には、当該受信パケットのカプセル化ヘッダの宛先ＩＰアドレスを変更することなくステップＳ６５で送信部５８に送付する。
【００９０】
この実施形態によれば、例えば無線ＬＡＮが混雑していたり、品質が劣化しているときに、無線ＬＡＮ回線を経由した通信レートが遅くなる一方、ＬＴＥ回線側には余裕があると言う事態の発生を抑制することができ、ネットワークの上流で振分けられたトラフィックに対して、無線品質やリソースを考慮した再振分けが可能となる。
【００９１】
この第２実施形態では、上位ネットワーク機器においてＬＴＥ網及びＷＬＡＮ網を経由する各パスに振分けられ、それぞれのネットワークを経由したパケットを無線端末装置で受信する。このとき、各ネットワークのｅｎｄ−ｔｏ−ｅｎｄ遅延が大きく異なることもある。そのような場合には、順序整列のためのバッファ待ち時間が大きくなってしまう。そのため、順序整列タイマ満了による順序不整合の発生や、順序整列バッファあふれによるパケット損失等、性能劣化の可能性がある。
【００９２】
そこで、第３実施形態では、ヘッダ変換部５７においてＬＴＥ網及びＷＬＡＮ網を経由するパス間の遅延差を縮小させるため、遅延の小さいパスから受信したパケットに所定の遅延を与えて、振分処理を行う。
【００９３】
＜フロー識別処理の第３実施形態＞
図２３にヘッダ変換部５７が実行するフロー識別処理の第３実施形態のフローチャートを示す。この処理は受信パケットを供給されたときに実行開始される。図２３において図２１と同一部分には同一符号を付す。図２３において、ステップＳ６１でヘッダ変換部５７は受信パケットのＩＰヘッダ内の例えば宛先ＩＰアドレスとポート番号から図２２に示すフローテーブルを検索してフローを識別するためのフローＩＤと送信モードを得る。図２２において、フローＩＤはパケットフローを識別するために用いる。送信モードはリンクアグリゲーション（ＬＡ）を行うか、ＬＴＥのみを使用するか（ＬＴＥ）、又は、無線ＬＡＮのみを使用するか（ＷＬＡＮ）を判定するために用いる。カプセル化ヘッダとしてはＬＴＥ回線の場合の宛先ＩＰアドレス（＃Ａ）と、無線ＬＡＮ回線の場合の宛先ＩＰアドレス（＃Ｂ）が設定されている。フローテーブルはメモリ４６に保持されているなお、フローテーブルの各エントリは宛先ＩＰアドレスとポート番号が同一のパケットフローの最初のパケットが供給されたとき、宛先ＩＰアドレスとポート番号からフローＩＤと送信モードが決定され、フローテーブルに設定される。例えばＦＴＰやＨＴＴＰを用いる宛先ＩＰアドレスとポート番号のパケットフローに対してはリンクアグリゲーションを行うように設定する。
【００９４】
ステップＳ６２でヘッダ変換部５７は受信パケットのフローの送信モードがリンクアグリゲーション（ＬＡ）であるか否かを判別して、ＨＡなどの上位ネットワーク装置で同一フローのパケットがＬＴＥ回線とＷＬＡＮ回線の両方に振分けられているか否かを判別する。そして、ＬＴＥ回線とＷＬＡＮ回線の両方に振分けられているときに、リンクアグリゲーションフローと認識する。
【００９５】
リンクアグリゲーションフローと認識すると、ステップＳ７１でヘッダ変換部５７はパケットを受信したネットワークインタフェース４７又はトンネルインタフェース４８が遅延量の小さい方のインタフェースであるか否かを判別する。遅延量の小さい方のインタフェースである場合、ステップＳ７２でヘッダ変換部５７は遅延を追加してステップＳ６３に進む。遅延量の大きい方のインタフェースである場合はそのままステップＳ６３に進む。なお、追加遅延量は異なるインタフェース４７又は４８から受信したシーケンス番号が連続するパケットの受信時刻差の最小値としたり（図２４参照）、Ｐｉｎｇパケット等により遅延を測定したりすることが考えられる。
【００９６】
リンクアグリゲーションフローと認識すると、ステップＳ６３でヘッダ変換部５７は上位ネットワーク装置で同一フローのパケットがＬＴＥ回線とＷＬＡＮ回線の両方に振分けられ、ネットワークインタフェース４７とトンネルインタフェース４８で受信される振分比率（受信振分比率と呼ぶ）を求め、受信振分比率と振分判断部５６からの振分比率との誤差を求め、その誤差が所定の閾値を超えているかを判断する。なお、この所定の閾値は、例えば振分判断部５６からの振分比率の１０％〜２０％程度の値である。
【００９７】
誤差が所定の閾値を超えている場合、ステップＳ６４でヘッダ変換部５７は当該パケットがトンネルインタフェース４８から受信したパケットであり、かつ、受信振分比率におけるＬＴＥの比率が振分判断部５６からの振分比率におけるＬＴＥの比率より大きいという条件を満足するか否かを判別する。この条件を満足するとステップＳ６５でヘッダ変換部５７は当該受信パケットがＷＬＡＮ回線を通るように、当該受信パケットのカプセル化ヘッダの宛先ＩＰアドレスを変更し、ステップＳ６５で送信部５８に送付する。
【００９８】
一方、ステップＳ６４の条件を満足しない場合には、ステップＳ６７でヘッダ変換部５７は当該パケットがネットワークインタフェース４７から受信したパケットであり、かつ、受信振分比率におけるＷＬＡＮの比率が振分判断部５６からの振分比率におけるＷＬＡＮの比率より大きいという条件を満足するか否かを判別する。この条件を満足するとステップＳ６８でヘッダ変換部５７は当該受信パケットがＬＴＥ回線を通るように、当該受信パケットのカプセル化ヘッダの宛先ＩＰアドレスを変更し、ステップＳ６５で送信部５８に送付する。ステップＳ６７の条件を満足しない場合、又は、ステップＳ６３で誤差が所定の閾値を超えていない場合、又は、ステップＳ６２で受信パケットのフローの送信モードがリンクアグリゲーション（ＬＡ）ではない場合には、当該受信パケットのカプセル化ヘッダの宛先ＩＰアドレスを変更することなくステップＳ６５で送信部５８に送付する。
【００９９】
このようにして、ＬＴＥ網及びＷＬＡＮ網を経由するパス間の遅延差を縮小させることができる。
【０１００】
＜遅延差算出処理＞
ステップＳ７１における遅延差を算出する処理のフローチャートを図２４に示す。図２４において、ステップＳ８１でヘッダ変換部５７はネットワークインタフェース４７又はトンネルインタフェース４８から受信したパケットのシーケンス番号（＝ｎ）を得る。ステップＳ８２でヘッダ変換部５７はシーケンス番号（＝ｎ）のパケットを得たインタフェース４７又は４８とは異なるインタフェース４８又は４７でシーケンス番号（＝ｎ−１）のパケットを既に受信済みか否かを判別する。
【０１０１】
ステップＳ８２で既に受信済みの場合には、ステップＳ８３で過去の算出結果を含めた最小の遅延差（遅延差＝ｍｉｎ｛遅延差，［シーケンス番号（＝ｎ）のパケットの受信時刻−シーケンス番号（＝ｎ−１）のパケットの受信時刻）を求め、処理を終了する。ステップＳ８２でシーケンス番号（＝ｎ−１）のパケットを未だ受信していない場合やシーケンス番号（＝ｎ−１）のパケットをシーケンス番号（＝ｎ）のパケットと同じインタフェースで受信した場合には、処理を終了する。そして、本処理で算出した遅延差は、図２３のステップＳ７２での遅延追加量として用いられる。
【０１０２】
この実施形態によれば、無線端末装置でＬＴＥ回線と無線ＬＡＮ回線から到着するパケットのパケット順序を整列させるとき、ＬＴＥ回線と無線ＬＡＮ回線の遅延差を小さくでき、順序整列遅延が小さくなり、通信品質の劣化を抑制することができる。
（付記１）
第１の無線インタフェースと第２の無線インタフェースを用いて無線端末装置と接続し、ネットワークインタフェースを用いてネットワークと接続する基地局装置において、
前記ネットワークインタフェースから受信したパケットに、前記第１の無線インタフェースと前記第２の無線インタフェースで共通の宛先アドレスを含むリンクアグリゲーション用ヘッダを付与するヘッダ付与部と、
前記第１の無線インタフェースと前記第２の無線インタフェースの無線品質情報を取得する無線品質取得部と、
前記リンクアグリゲーション用ヘッダを付与されたパケットを前記無線品質情報に基づき前記第１の無線インタフェースと第２の無線インタフェースのいずれかに振分けて前記無線端末装置に送信する振分送信部と、
を有することを特徴とする基地局装置。
（付記２）
付記１記載の基地局装置において、
前記無線端末装置から前記第１の無線インタフェースと前記第２の無線インタフェースのいずれかを介して前記リンクアグリゲーション用ヘッダを付与されたパケットを受信する受信部と、
前記リンクアグリゲーション用ヘッダを付与されたパケットから前記リンクアグリゲーション用ヘッダを取り除いたパケットに含まれる宛先アドレスに従って前記リンクアグリゲーション用ヘッダを取り除いたパケットを前記ネットワークインタフェースに送信する受信パケット処理部と、
を有することを特徴とする基地局装置。
（付記３）
付記２記載の基地局装置において、
前記ヘッダ付与部で付与する前記リンクアグリゲーション用ヘッダは、パケットの順序を表すシーケンス番号を含むことを特徴とする基地局装置。
（付記４）
付記３記載の基地局装置において、
前記受信パケット処理部は、前記第１の無線インタフェースと前記第２の無線インタフェースを介して受信したパケットを前記リンクアグリゲーション用ヘッダに含まれる前記シーケンス番号の順序に並べ替えて前記ネットワークインタフェースに送信することを特徴とする基地局装置。
（付記５）
第１の無線インタフェースと第２の無線インタフェースを用いて無線端末装置と接続し、第１のネットワークインタフェースと第２のネットワークインタフェースを用いてネットワークと接続し、前記第１のネットワークインタフェースと前記第２のネットワークインタフェースで異なる宛先アドレスを含むカプセル化ヘッダが付与された前記無線端末装置宛てのパケットを受信する基地局装置において、
前記第１の無線インタフェースと前記第２の無線インタフェースの無線品質情報を取得する無線品質取得部と、
受信したパケットを前記無線品質情報に基づき前記第１の無線インタフェースと前記第２の無線インタフェースのいずれを用いて前記無線端末装置に送信するか振分判断し、前記振分判断の結果に従って、前記第１のネットワークインタフェースと前記第２のネットワークインタフェースから受信したパケットに付与されている前記カプセル化ヘッダの宛先アドレスを変換するヘッダ変換部と、
前記カプセル化ヘッダが付与されパケットを前記カプセル化ヘッダに含まれる宛先アドレスに従って前記第１の無線インタフェース又は前記第２の無線インタフェースを介して前記無線端末装置に送信する送信部と、
を有することを特徴とする基地局装置。
（付記６）
付記５記載の基地局装置において、
前記無線端末装置から前記第１の無線インタフェースと前記第２の無線インタフェースのいずれかを介して前記カプセル化ヘッダが付与されたパケットを受信する受信部と、
前記カプセル化ヘッダが付与されたパケットを前記カプセル化ヘッダに含まれる宛先アドレスに従って前記第１のネットワークインタフェース又は前記第２のネットワークインタフェースに送信する受信パケット処理部と、
を有することを特徴とする基地局装置。
（付記７）
付記６記載の基地局装置において、
前記ヘッダ変換部は、前記第１のネットワークインタフェースから受信した前記カプセル化ヘッダを付加されたパケットと前記第２のネットワークインタフェースから受信した前記カプセル化ヘッダを付加されたパケットとで遅延量が小さい方のパケットを遅延させることを特徴とする基地局装置。
（付記８）
第１の無線インタフェースと第２の無線インタフェースを用いて基地局装置と接続する無線端末装置において、
送信するパケットに、前記第１の無線インタフェースと前記第２の無線インタフェースで共通の宛先アドレスを含むリンクアグリゲーション用ヘッダを付与するヘッダ付与部と、
前記第１の無線インタフェースと前記第２の無線インタフェースの無線品質情報を取得する無線品質取得部と、
前記リンクアグリゲーション用ヘッダを付与されたパケットを前記無線品質情報に基づき前記第１の無線インタフェースと第２の無線インタフェースのいずれかに振分けて前記基地局装置に送信する振分送信部と、
前記基地局装置から前記第１の無線インタフェースと前記第２の無線インタフェースのいずれかを介して前記リンクアグリゲーション用ヘッダを付与されたパケットを受信する受信部と、
前記リンクアグリゲーション用ヘッダを付与されたパケットから前記リンクアグリゲーション用ヘッダを取り除いたパケットに含まれる宛先アドレスに従って前記リンクアグリゲーション用ヘッダを取り除いたパケットを得る受信パケット処理部と、
を有することを特徴とする無線端末装置。
（付記９）
付記８記載の無線端末装置において、
前記パケットは、前記リンクアグリゲーション用ヘッダの代りに、前記リンクアグリゲーション用ヘッダと同一構成のカプセル化ヘッダを付与されることを特徴とする無線端末装置。
（付記１０）
第１の無線インタフェースと第２の無線インタフェースを用いて無線端末装置と接続し、ネットワークインタフェースを用いてネットワークと接続する基地局装置のパケット振分け方法において、
前記ネットワークインタフェースから受信したパケットに、前記第１の無線インタフェースと前記第２の無線インタフェースで共通の宛先アドレスを含むリンクアグリゲーション用ヘッダを付与し、
前記第１の無線インタフェースと前記第２の無線インタフェースの無線品質情報を取得し、
前記リンクアグリゲーション用ヘッダを付与されたパケットを前記無線品質情報に基づき前記第１の無線インタフェースと第２の無線インタフェースのいずれかに振分けて前記無線端末装置に送信する、
ことを特徴とするパケット振分け方法。
（付記１１）
付記１０記載のパケット振分け方法において、
前記無線端末装置から前記第１の無線インタフェースと前記第２の無線インタフェースのいずれかを介して前記リンクアグリゲーション用ヘッダを付与されたパケットを受信し、
前記リンクアグリゲーション用ヘッダを付与されたパケットから前記リンクアグリゲーション用ヘッダを取り除いたパケットに含まれる宛先アドレスに従って前記リンクアグリゲーション用ヘッダを取り除いたパケットを前記ネットワークインタフェースに送信する、
ことを特徴とするパケット振分け方法。
（付記１２）
付記１１記載のパケット振分け方法において、
前記リンクアグリゲーション用ヘッダは、パケットの順序を表すシーケンス番号を含むことを特徴とするパケット振分け方法。
（付記１３）
付記１２記載のパケット振分け方法において、
前記リンクアグリゲーション用ヘッダを取り除いたパケットを前記ネットワークインタフェースに送信する際に、前記第１の無線インタフェースと前記第２の無線インタフェースを介して受信したパケットを前記リンクアグリゲーション用ヘッダに含まれる前記シーケンス番号の順序に並べ替えて前記ネットワークインタフェースに送信することを特徴とするパケット振分け方法。
（付記１４）
第１の無線インタフェースと第２の無線インタフェースを用いて無線端末装置と接続し、第１のネットワークインタフェースと第２のネットワークインタフェースを用いてネットワークと接続し、前記第１のネットワークインタフェースと前記第２のネットワークインタフェースで異なる宛先アドレスを含むカプセル化ヘッダが付与された前記無線端末装置宛てのパケットを受信する基地局装置のパケット振分け方法において、
前記第１の無線インタフェースと前記第２の無線インタフェースの無線品質情報を取得し、
受信したパケットを前記無線品質情報に基づき前記第１の無線インタフェースと前記第２の無線インタフェースのいずれを用いて前記無線端末装置に送信するか振分判断し、前記振分判断の結果に従って、前記第１のネットワークインタフェースと前記第２のネットワークインタフェースから受信したパケットに付与されている前記カプセル化ヘッダの宛先アドレスを変換し、
前記カプセル化ヘッダが付与されパケットを前記カプセル化ヘッダに含まれる宛先アドレスに従って前記第１の無線インタフェース又は前記第２の無線インタフェースを介して前記無線端末装置に送信する、
ことを特徴とするパケット振分け方法。
（付記１５）
付記１４記載のパケット振分け方法において、
前記無線端末装置から前記第１の無線インタフェースと前記第２の無線インタフェースのいずれかを介して前記カプセル化ヘッダが付与されたパケットを受信し、
前記カプセル化ヘッダが付与されたパケットを前記カプセル化ヘッダに含まれる宛先アドレスに従って前記第１のネットワークインタフェース又は前記第２のネットワークインタフェースに送信する、
を有することを特徴とするパケット振分け方法。
（付記１６）
付記１５記載のパケット振分け方法において、
前記前記カプセル化ヘッダの宛先アドレスを変換する際に、前記第１のネットワークインタフェースから受信した前記カプセル化ヘッダを付加されたパケットと前記第２のネットワークインタフェースから受信した前記カプセル化ヘッダを付加されたパケットとで遅延量が小さい方のパケットを遅延させることを特徴とするパケット振分け方法。
【符号の説明】
【０１０３】
４０  フェムトセル基地局装置
４１  ＷｉＦｉ−ＩＦ
４２  ＬＴＥ−ＩＦ
４３  無線状況取得部
４４  アグリゲーション機能部
４５  ＣＰＵ
４６  メモリ
４７  ネットワークインタフェース
４８  トンネルインタフェース
５１  受信部
５２，５８  送信部
５３，５６  振分判断部
５４  受信パケット処理部
５５  ヘッダ付与部
５７  ヘッダ変換部
【図１】
2014027548.tif 000003
【図２】
2014027548.tif 000004
【図３】
2014027548.tif 000005
【図４】
2014027548.tif 000006
【図５】
2014027548.tif 000007
【図６】
2014027548.tif 000008
【図７】
2014027548.tif 000009
【図８Ａ】
2014027548.tif 000010
【図８Ｂ】
2014027548.tif 000011
【図９】
2014027548.tif 000012
【図１０】
2014027548.tif 000013
【図１１】
2014027548.tif 000014
【図１２】
2014027548.tif 000015
【図１３】
2014027548.tif 000016
【図１４】
2014027548.tif 000017
【図１５】
2014027548.tif 000018
【図１６】
2014027548.tif 000019
【図１７】
2014027548.tif 000020
【図１８】
2014027548.tif 000021
【図１９】
2014027548.tif 000022
【図２０】
2014027548.tif 000023
【図２１】
2014027548.tif 000024
【図２２】
2014027548.tif 000025
【図２３】
2014027548.tif 000026
【図２４】
2014027548.tif 000027